(57)【要約】【課題】患者が所定の領域から出た場合に通知する医療用外出通知システムを提供する。【解決手段】医療用外出通知システム１０は、複数の識別情報発信機２０と送信機３０と受信機４０とを有する。識別情報発信機２０は、各部屋に設置され、固有の識別情報を発信する。送信機３０は、識別情報を受信可能に患者に携帯され、患者の位置において受信できる識別情報を送信する。受信機４０は、送信機３０から識別情報を受信する。また、受信機４０は、記憶部と受付部と通知部とを有する。記憶部は、各部屋の部屋情報に、固有の前記識別情報を関連付けて予め記憶する。受付部は、送信機３０を携帯する患者を表す患者情報と、当該患者が所在すべき所在部屋の部屋情報との対応付けを受け付ける。通知部は、所在部屋の部屋情報に記憶部において関連付けられている識別情報が、送信機から受信できない場合、患者が所在部屋にいない旨を通知する。【選択図】図８
2014238638.tif 000002
【特許請求の範囲】
【請求項１】
各部屋に設置され、固有の識別情報を発信する複数の識別情報発信機と、
前記識別情報を受信可能に患者に携帯され、当該患者の生体情報を取得し、患者の位置において受信できる前記識別情報を前記生体情報と共に送信する送信機と、
前記送信機から前記識別情報および前記生体情報を受信する受信機と、
を有し、
前記受信機は、
前記各部屋を表す部屋情報に、固有の前記識別情報を関連付けて予め記憶する記憶部と、
前記送信機を携帯する前記患者を表す患者情報と、当該患者が所在すべき所在部屋の部屋情報との対応付けを受け付ける受付部と、
前記所在部屋の部屋情報に前記記憶部において関連付けられている前記識別情報が、前記送信機から受信できない場合、前記患者が前記所在部屋にいない旨を通知する通知部と、
を有する医療用外出通知システム。
【請求項２】
前記受信機の前記記憶部は、前記部屋情報に、複数の前記識別情報を関連付けて予め記憶する請求項１に記載の医療用外出通知システム。
【請求項３】
前記受信機の前記通知部は、前記患者が前記所在部屋にいない旨をユーザーが携帯する情報端末に通知する請求項１または請求項２に記載の医療用外出通知システム。
【請求項４】
前記受信機の前記通知部は、前記受信機の表示部に前記患者ごとに予め登録された任意のメッセージを表示させる請求項１〜３のいずれか一項に記載の医療用外出通知システム。
【請求項５】
各部屋に設置された複数の識別情報発信機から発信された固有の識別情報を受信可能に患者に携帯され、当該患者の生体情報を取得し、患者の位置において受信できる前記識別情報を前記生体情報と共に送信する送信機から、前記識別情報および前記生体情報を受信する受信部と、
前記各部屋の部屋情報に、固有の前記識別情報を関連付けて予め記憶する記憶部と、
前記送信機を携帯する前記患者を表す患者情報と、当該患者が所在すべき所在部屋の部屋情報との対応付けを受け付ける受付部と、
前記所在部屋の部屋情報に前記記憶部において関連付けられている前記識別情報が、前記送信機から受信できない場合、前記患者が前記所在部屋にいない旨を通知する通知部と、
を有する受信機。
【請求項６】
各部屋に設置された複数の識別情報発信機から発信された固有の識別情報を受信可能に患者に携帯され、当該患者の生体情報を取得し、患者の位置において受信できる前記識別情報を前記生体情報と共に送信する送信機から、前記識別情報および前記生体情報を受信する受信ステップと、
前記各部屋の部屋情報に、固有の前記識別情報を関連付けて予め記憶する記憶ステップと、
前記送信機を携帯する前記患者を表す患者情報と、当該患者が所在すべき所在部屋の部屋情報との対応付けを受け付ける受付ステップと、
前記所在部屋の部屋情報に前記記憶ステップにおいて関連付けられている前記識別情報が、前記送信機から受信できない場合、前記患者が前記所在部屋にいない旨を通知する通知ステップと、
をコンピューターに実行させる医療用外出通知プログラム。
【発明の詳細な説明】
【技術分野】
【０００１】
本発明は、医療用外出通知システム、受信機および医療用外出通知プログラムに関する。
【背景技術】
【０００２】
病院内において患者の状態をモニタする種々の技術が知られている。その一つとして、患者に送信機を取り付け、当該送信機によって患者の状態を測定して、遠隔の表示装置に送信する技術がある。表示装置には患者の状態が表示されるため、看護師等の病院のスタッフは、ナースステーション等の離れた場所から患者の状態をモニタできる。
【０００３】
患者に取り付けられる送信機は、軽量で持ち運び可能であるため、患者は自由に移動できる。そのため、患者が本来いるべき部屋の外へ出てしまい、患者の行方がわからなくなってしまうことがある。その場合、病院のスタッフは、患者を探し出すために多大な労力と時間を消費する。
【０００４】
この問題を解決するために、患者の生体情報に加えて、患者の位置を示す情報を送信機から送信し、遠隔の表示装置でモニタする技術が知られている（たとえば、特許文献１参照。）。この技術によれば、患者が部屋から出てしまった場合でも、患者が所定の監視エリア内にいる限り、患者の居場所を把握できる。
【先行技術文献】
【特許文献】
【０００５】
【特許文献１】特開平１０−２４８８１６号公報
【発明の概要】
【発明が解決しようとする課題】
【０００６】
しかしながら、上記特許文献１記載の技術では、患者の居場所を確認することはできるが、常に画面を注視して患者の動きを追っていない限り、患者が本来いるべき部屋の外に出たことを即座に把握することはできない。
【０００７】
患者が本来いるべき部屋の外に出た場合、患者がさらに所定の監視エリアの外に出ることにより、患者の行方がわからなくなってしまう可能性が高くなる。また、患者が部屋から出ているときに病状が急変した場合には、まず患者を医療機器がある場所に運ぶ等、患者が部屋の中にいる場合に較べて、より多くの対応を迅速に行うことが必要となる。このように、病院のスタッフは、患者が部屋の外に出ているときは、患者が部屋の中にいるときに比べて、より一層患者の状態に注意を払っておく必要がある。したがって、患者が部屋から出たことを即座に把握できるシステムが望まれている。
【０００８】
本発明は、上記事情に鑑みてなされたものであり、患者が所定の領域から出た場合に通知する医療用外出通知システム、受信機、医療用外出通知プログラムを提供することを目的とする。
【課題を解決するための手段】
【０００９】
医療用外出通知システムは、複数の識別情報発信機と、送信機と、受信機とを有する。識別情報発信機は、各部屋に設置され、固有の識別情報を発信する。送信機は、識別情報を受信可能に患者に携帯され、当該患者の生体情報を取得し、患者の位置において受信できる識別情報を生体情報と共に送信する。受信機は、送信機から識別情報および生体情報を受信する。また、受信機は、記憶部と、受付部と、通知部とを有する。記憶部は、各部屋の部屋情報に、固有の識別情報を関連付けて予め記憶する。受付部は、送信機を携帯する患者を表す患者情報と、当該患者が所在すべき所在部屋の部屋情報との対応付けを受け付ける。通知部は、所在部屋の部屋情報に記憶部において関連付けられている識別情報が、送信機から受信できない場合、患者が所在部屋にいない旨を通知する。
【００１０】
受信機は、受信部と、記憶部と、受付部と、通知部とを有する。受信部は、各部屋に設置された複数の識別情報発信機から発信された固有の識別情報を受信可能に患者に携帯され、当該患者の生体情報を取得し、患者の位置において受信できる識別情報を生体情報と共に送信する送信機から、識別情報および生体情報を受信する。記憶部は、各部屋の部屋情報に、固有の識別情報を関連付けて予め記憶する。受付部は、送信機を携帯する患者を表す患者情報と、当該患者が所在すべき所在部屋の部屋情報との対応付けを受け付ける。通知部は、所在部屋の部屋情報に記憶部において関連付けられている識別情報が、送信機から受信できない場合、患者が所在部屋にいない旨を通知する。
【００１１】
医療用外出通知プログラムは、受信ステップと、記憶ステップと、受付ステップと、通知ステップとをコンピューターに実行させる。受信ステップは、各部屋に設置された複数の識別情報発信機から発信された固有の識別情報を受信可能に患者に携帯され、当該患者の生体情報を取得し、患者の位置において受信できる識別情報を生体情報と共に送信する送信機から、識別情報および生体情報を受信する。記憶ステップは、各部屋の部屋情報に、固有の識別情報を関連付けて予め記憶する。受付ステップは、送信機を携帯する患者を表す患者情報と、当該患者が所在すべき所在部屋の部屋情報との対応付けを受け付ける。通知ステップは、所在部屋の部屋情報に記憶ステップにおいて関連付けられている識別情報が、送信機から受信できない場合、患者が所在部屋にいない旨を通知する。
【発明の効果】
【００１２】
本発明によれば、送信機から患者の所在部屋の部屋情報に関連付けられている識別情報が受信できない場合、患者が所在部屋にいない旨を通知する。これにより、ユーザーは、患者が部屋の外に出たことを即座に把握でき、患者が行方不明になることを防止し、患者の行動に注意を払うことができる。
【図面の簡単な説明】
【００１３】
【図１】医療用外出通知システムの概略構成を示す図である。
【図２】受信機の概略構成を示すブロック図である。
【図３】位置ＩＤの登録を行う画面の一例を示す図である。
【図４】部屋番号と位置ＩＤとの関連付けの登録を行う画面の一例を示す図である。
【図５】患者情報と患者の所在部屋の部屋番号との対応付けの登録を行う画面の一例を示す図である。
【図６】受信機における外出通知処理の流れを示すフローチャートである。
【図７】受信機において通知が行われる様子を示す図である。
【図８】受信機における通知の表示例を示す図である。
【図９】看護師が携帯する端末に通知が行われる様子を示す図である。
【発明を実施するための形態】
【００１４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１５】
図１は医療用外出通知システムの概略構成を示す図、図２は受信機の概略構成を示すブロック図である。
【００１６】
医療用外出通知システム１０は、たとえば、病院や介護施設等に設けられる。以下では、医療用外出通知システム１０が病院に設けられる場合について説明する。
【００１７】
図１に示すように、医療用外出通知システム１０は、識別情報発信機２０（２０ａ、２０ｂ、２０ｃ、２０ｄ）と、送信機３０（３０Ａ、３０Ｂ、３０Ｃ）と、受信機４０とを有する。各構成について説明する。
【００１８】
（識別情報発信機２０）
識別情報発信機２０は、病院内の病室に設置される。識別情報発信機２０には、それぞれ固有の識別情報が設定される。識別情報発信機２０は、当該識別情報を、位置ＩＤとして繰り返し発信する。
【００１９】
図１に示す例において、７０１号室には識別情報発信機２０ａが設置され、７０２号室には識別情報発信機２０ｂが設置されている。また、７０３号室には識別情報発信機２０ｃおよび識別情報発信機２０ｄが設置されている。識別情報発信機２０ａ、２０ｂ、２０ｃ、２０ｄには、それぞれ位置ＩＤとして「１００」、「２００」、「３００」、「４００」が設定されている。
【００２０】
識別情報発信機２０ａ、２０ｂ、２０ｃ、２０ｄは、それぞれ図１中に領域Ｒ１、Ｒ２、Ｒ３、Ｒ４として示されるような射程範囲において、自機に設定された位置ＩＤを発信する。たとえば、７０１号室の大部分の領域は、領域Ｒ１に含まれている。したがって、７０１号室内にいれば、識別情報発信機２０ａから発信される位置ＩＤ「１００」が届く範囲にいることになる。同様に、７０３号室の大部分の領域は、領域Ｒ３またはＲ４に含まれている。したがって、７０３号室内にいれば、識別情報発信機２０ｃまたは２０ｄから発信される位置ＩＤ「３００」または「４００」のいずれかが届く範囲にいることになる。
【００２１】
識別情報発信機２０が位置ＩＤを発信するタイミングは、たとえば、１０秒プラスマイナス３秒等の一定期間内においてランダムなタイミングとしてもよい。あるいは、１０秒間隔等の定期的なタイミングとしてもよい。
【００２２】
（送信機３０）
送信機３０は、患者が携帯可能な装置であり、患者に装着されて患者の生体信号を検出し送信する。具体的には、送信機３０は、心電図電極などの生体情報を取得する生体情報センサなどの測定手段（不図示）を有し、患者の心拍数、呼吸数、血中酸素飽和度などの生体情報を検出し、検出した生体情報を、無線信号により送信する。
【００２３】
送信機３０は、さらに、識別情報発信機２０から送信された位置ＩＤを受信可能である。送信機３０は、位置ＩＤを受信した場合、生体情報に加えて、位置ＩＤも送信する。
【００２４】
送信機３０は、複数の識別情報発信機２０から複数の位置ＩＤを受信した場合、受信した複数の位置ＩＤを送信してもよい。または、送信機３０は、受信のサイクルタイム、たとえば１０秒間において最後に受信した位置ＩＤのみを送信してもよい。あるいは、送信機３０は、受信した複数の位置ＩＤのうち、受信した際の無線信号の強度が最も高かったものを送信してもよい。
【００２５】
複数の送信機３０は、相互に混信がないように、それぞれ異なる固有のチャネルが割り当てられており、チャネルによりそれぞれの送信機３０が識別される。チャネルは、たとえば異なる周波数に対応している。
【００２６】
図１に示す例において、患者（Ａさん、Ｂさん、Ｃさん）にはそれぞれ、送信機３０Ａ、３０Ｂ、３０Ｃが取り付けられている。たとえば、Ａさんは７０１号室に所在し、識別情報発信機２０ａから送信される位置ＩＤが届く領域Ｒ１内にいる。したがって、Ａさんに装着された送信機３０Ａは、識別情報発信機２０ａから送信される位置ＩＤ「１００」を受信する。送信機３０Ａは、受信した位置ＩＤ「１００」を、Ａさんの生体情報とあわせて受信機４０へ送信する。同様に、Ｂさんに装着された送信機３０Ｂは、識別情報発信機２０ｂから送信される位置ＩＤ「２００」を受信して、Ｂさんの生体情報とあわせて受信機４０へ送信する。また同様に、Ｃさんに装着された送信機３０Ｃは、識別情報発信機２０ｄから送信される位置ＩＤ「４００」を受信して、Ｃさんの生体情報とあわせて受信機４０へ送信する。
【００２７】
（受信機４０）
受信機４０は、送信機３０から送信された生体情報および位置ＩＤを受信する。
【００２８】
受信機４０は、図２に示すように、ＣＰＵ４０１、ＲＯＭ４０２、ＲＡＭ４０３、ネットワークインターフェース４０４、受信部４０５、表示部４０６、操作部４０７およびストレージ４０８を備えており、これらは信号をやり取りするためのバス４０９を介して相互に接続されている。
【００２９】
ＣＰＵ４０１は、ＲＯＭ４０２やストレージ４０８に記録されているプログラムにしたがって、上記各部の制御や各種の演算処理を行う。ＣＰＵ４０１は、プログラムを実行することによって、受付部および通知部として機能する。ＲＯＭ４０２は、各種プログラムや各種データを格納する。ＲＡＭ４０３は、作業領域として一時的にプログラムやデータを記憶する。
【００３０】
ネットワークインターフェース４０４は、ネットワークを介して他の機器と通信するためのインターフェースであり、イーサネット（登録商標）、Ｗｉ−Ｆｉ等の規格や電話回線等が用いられる。
【００３１】
受信部４０５は、送信機３０から送信された信号と、信号に含まれる生体情報および位置ＩＤとを受信する。受信部４０５は、複数の送信機３０から送信される信号を受信可能である。
【００３２】
表示部４０６は、たとえば、液晶ディスプレイであり、患者の名称や所在する部屋、生体情報等、各種情報を表示する。
【００３３】
操作部４０７は、マウス等のポインティングデバイスやキーボードを含み、各種の入力を行うために使用される。操作部４０７は、表示部４０６においてタッチパネル方式によりソフトウェアとして実現される操作キーであってもよい。
【００３４】
ストレージ４０８は、記憶部として、オペレーティングシステムを含む各種プログラムや、各種データを格納する。ストレージ４０８には、患者の外出を検知して通知するためのアプリケーションがインストールされている。
【００３５】
また、ストレージ４０８には、送信機３０のチャネル番号と、当該送信機３０が装着された患者の患者情報とが対応付けられて記憶されている。そのため、受信機４０は、送信機３０からデータを受信した際に、使用したチャネル番号に基づいて、受信したデータがどの患者の状態を表すものであるかを特定できる。
【００３６】
さらに、ストレージ４０８には、識別情報発信機２０が発信する位置ＩＤに関する情報と、部屋情報と位置ＩＤとを関連付けた情報と、患者情報と患者が所在すべき部屋である所在部屋の部屋情報とを対応付けた情報と、が記憶されている。ここで、部屋情報とは、病院内において各部屋を識別するために各部屋に付与された情報であり、たとえば、「７０１」、「７０２」等の部屋番号でもよい。あるいは、部屋情報は、小児病棟の病室の呼び名として用いられるような「みかん」、「リンゴ」等の部屋名称でもよい。以下では、部屋情報として部屋番号が用いられる場合について説明する。これらの情報の内容および登録方法について、以下に説明する。
【００３７】
図３は位置ＩＤの登録を行う画面の一例を示す図、図４は部屋番号と位置ＩＤとの関連付けの登録を行う画面の一例を示す図、図５は患者情報と患者の所在部屋の部屋番号との対応付けの登録を行う画面の一例を示す図である。図３〜図５に示す画面は、受信機４０の表示部４０６に表示される。ユーザーは表示部４０６の画面を見ながら操作部４０７を操作することにより、各種情報を登録できる。なお、各種情報の登録処理は、受信機４０のＲＯＭ４０２またはストレージ４０８にプログラムとして記憶されており、ＣＰＵ４０１により実行される。
【００３８】
まず、図３に示す画面において、受信機４０は、医療用外出通知システム１０で使用する識別情報発信機２０に設定された位置ＩＤの登録を受け付ける。図３の例は、図１の例と対応しており、位置ＩＤとして「１００」、「２００」、「３００」、「４００」の４つの値が登録されている。登録された位置ＩＤは、ストレージ４０８に記憶される。この登録は、システムの導入時やレイアウト変更等によるシステムの設定変更時等に行われる。
【００３９】
次に、図４に示す画面において、受信機４０は、部屋番号と位置ＩＤとの関連付けの登録を受け付ける。図３において位置ＩＤとして「１００」、「２００」、「３００」、「４００」の４つの値が登録されたので、受信機４０は、対応する４つのラジオボタンを図４に示す画面に選択可能に表示する。図４の例は、図１の例と対応しており、部屋番号「７０１」には位置ＩＤ「１００」が、部屋番号「７０２」には位置ＩＤ「２００」が関連付けられて登録されている。また、部屋番号「７０３」には位置ＩＤ「３００」および「４００」の２つの値が関連付けられて登録されている。部屋番号と位置ＩＤとを関連付けた情報は、ストレージ４０８に記憶される。この登録は、システムの導入時や施設内のレイアウト変更等によるシステムの設定変更時等に行われる。
【００４０】
次に、図５に示す画面において、受信機４０は、受付部として、患者情報と患者の所在部屋の部屋番号との対応付けの登録を受け付ける。図５の例は図１の例と対応しており、Ｂさんの患者情報とＢさんの所在部屋の部屋番号「７０２」とが対応付けられて登録されている。また、本画面において、受信機４０は、Ｂさんの外出が検知されたときに表示部４０６に表示するメッセージの登録も受け付ける。患者情報と患者の所在部屋の部屋番号とを対応付けた情報および登録されたメッセージは、ストレージ４０８に記憶される。この登録は、患者の入床時や患者の所在部屋の変更時等に行われる。
【００４１】
続いて、医療用外出通知システム１０における外出通知処理の流れについて説明する。
【００４２】
図６は受信機における外出通知処理の流れを示すフローチャート、図７は受信機における通知の表示例を示す図である。なお、図６のフローチャートに示される処理は、受信機４０のＲＯＭ４０２またはストレージ４０８にプログラムとして記憶されており、ＣＰＵ４０１により実行される。
【００４３】
図６に示すように、受信機４０は、送信機３０からデータを受信したか否かを判断する（ステップＳ１０１）。
【００４４】
送信機３０からデータを受信していない場合（ステップＳ１０１：ＮＯ）、受信機４０は、ステップＳ１０１に戻り、送信機３０からデータを受信するまで待機する。
【００４５】
送信機３０からデータを受信した場合（ステップＳ１０１：ＹＥＳ）、受信機４０は、送信機３０が使用するチャネル番号と、位置ＩＤとを取得する（ステップＳ１０２）。ここで、取得する位置ＩＤは、送信機３０が事前に識別情報発信機２０から受信し、受信機４０へ送信したものである。
【００４６】
続いて、受信機４０は、取得したチャネル番号と、ストレージ４０８に記憶されたチャネル番号と患者情報とを対応付けた情報とから、データの送信元である送信機３０が装着されている患者を特定する（ステップＳ１０３）。
【００４７】
続いて、受信機４０は、ステップＳ１０３において特定された患者の患者情報と、ストレージ４０８に記憶された患者情報と患者の所在部屋の部屋番号とを対応付けた情報とから、患者の所在部屋の部屋番号を特定する（ステップＳ１０４）。
【００４８】
続いて、受信機４０は、ステップＳ１０４において特定された患者の所在部屋の部屋番号と、ストレージ４０８に記憶された部屋番号と位置ＩＤとを関連付けた情報とから、所在部屋の部屋番号に関連付けられた位置ＩＤを特定する（ステップＳ１０５）。ここで、所在部屋の部屋番号に関連付けられた位置ＩＤ（以下、所在部屋位置ＩＤと称する）は、一つまたは複数の位置ＩＤである。
【００４９】
続いて、受信機４０は、送信機３０からステップＳ１０５において特定された所在部屋位置ＩＤに含まれる位置ＩＤを受信しているか否かを判断する（ステップＳ１０６）。
【００５０】
所在部屋位置ＩＤに含まれる位置ＩＤを受信している場合（ステップＳ１０６：ＹＥＳ）、受信機４０は、患者が所在部屋の外に出ていない正常な状態であると判断し、通知を行わずに処理を終了する。
【００５１】
所在部屋位置ＩＤに含まれる位置ＩＤを受信していない場合（ステップＳ１０６：ＮＯ）、受信機４０は、患者が所在部屋にいない、すなわち、患者が部屋の外に出たと判断し、通知部として通知を行う（ステップＳ１０７）。通知は、たとえば図７に示すように、表示部４０６の画面におけるＢさんの状態を示す部分に、ストレージ４０８に予め登録された「部屋を出ました」というメッセージを表示することにより行われる。また、通知の際に、アラーム音の鳴動やランプの点灯等を行いユーザーの注意を喚起してもよい。なお、上記ステップＳ１０６の判断処理における「所在部屋位置ＩＤに含まれる位置ＩＤを受信していない場合」には、所在部屋位置ＩＤに含まれていない位置ＩＤを受信した場合や、受信したデータに位置ＩＤが設定されていない場合等が含まれる。
【００５２】
次に、図６のフローチャートに示す外出通知処理について、具体的な動作の例を説明する。
【００５３】
図８は、受信機において通知が行われる様子を示す図である。
【００５４】
図８に示す例において、Ｂさんは、所在部屋である７０２号室の外に出ている。このとき、Ｂさんは、識別情報発信機２０から送信される位置ＩＤが届かない位置にいるため、Ｂさんに装着された送信機３０Ｂは、識別情報発信機２０から送信される位置ＩＤを受信できない。そのため、送信機３０Ｂは、受信機４０へ位置ＩＤを送信せずに、生体情報のみを送信する。
【００５５】
受信機４０は、送信機３０Ｂからデータを受信すると、図６のステップＳ１０１〜ステップＳ１０５の処理を実行する。まず、受信機４０は、受信したデータの送信元が送信機３０Ｂであり、Ｂさんの状態を表すデータであることを特定する。次に、受信機４０は、Ｂさんの所在部屋として登録された部屋番号「７０２」を特定し、さらに、部屋番号「７０２」に関連付けられた位置ＩＤ「２００」を特定する。
【００５６】
ここで、受信機４０が送信機３０Ｂから受信したデータには、位置ＩＤの値が設定されていない。そのため、受信機４０は、図６のステップＳ１０６の処理において、Ｂさんの所在部屋に関連付けられた位置ＩＤを受信しておらず、Ｂさんが所在部屋の外に出たと判断する。その結果、受信機４０は、図８に示すように、表示部４０６のＢさんの状態を示す部分に「部屋を出ました」というメッセージを表示して通知を行う。
【００５７】
一方、Ａさんは、自身の所在部屋である７０１号室内に所在している。Ａさんに装着された送信機３０Ａは、識別情報発信機２０ａから送信される位置ＩＤ「１００」を受信し、受信機４０へ送信する。受信機４０は、送信機３０Ａからデータを受信すると、図６のステップＳ１０１〜ステップＳ１０５の処理を実行する。受信機４０は、Ａさんの所在部屋として登録された部屋番号「７０１」を特定し、さらに、所在部屋の部屋番号「７０１」に関連付けられた所在部屋位置ＩＤ「１００」を特定する。
【００５８】
ここで、送信機３０Ａから受信したデータには、位置ＩＤ「１００」が設定されている。受信機４０は、図６のステップＳ１０６の処理において、Ａさんの所在部屋に関連付けられた位置ＩＤを受信しているため、Ａさんは所在部屋の外に出ていないと判断する。したがって、受信機４０は、通知を行わずに処理を終了する。
【００５９】
また、Ｃさんは、自身の所在部屋である７０３号室内に所在している。Ｃさんに装着された送信機３０Ｃは、識別情報発信機２０ｄから送信される位置ＩＤ「４００」を受信し、受信機４０へ送信する。受信機４０は、送信機３０Ｃからデータを受信すると、図６のステップＳ１０１〜ステップＳ１０５の処理を実行する。受信機４０は、Ｃさんの所在部屋として登録された部屋番号「７０３」を特定し、さらに、部屋番号「７０３」に関連付けられた位置ＩＤ「３００」および「４００」を特定する。
【００６０】
ここで、送信機３０Ｃから受信したデータには、位置ＩＤ「４００」が設定されている。受信機４０は、図６のステップ１０６の処理において、Ｃさんの所在部屋に関連付けられた位置ＩＤを受信しているため、Ｃさんは所在部屋の外に出ていないと判断する。したがって、受信機４０は、通知を行わずに処理を終了する。
【００６１】
以上のように、本実施形態の医療用外出通知システム１０によれば、送信機から患者の所在部屋の部屋番号に関連付けられている位置ＩＤが受信できない場合、患者が所在部屋にいない旨を通知する。したがって、ユーザーは、患者が部屋の外に出たことを即座に把握できる。これにより、患者が行方不明になることを防止し、患者の状態に一層注意を払うことができる。
【００６２】
また、受信機４０のストレージ４０８には、部屋番号に位置ＩＤが関連付けられて記憶されている。これにより、ユーザーは、位置ＩＤという不慣れな値を意識することなく、部屋番号という業務上使い慣れた値によって患者の所在場所を設定できる。その結果、ユーザーの操作性が高まり、設定ミスも防止できる。
【００６３】
また、受信機４０のストレージ４０８には、一つの部屋番号に対して複数の位置ＩＤを関連付けて記憶させることができる。これにより、広い部屋や複雑な形状の部屋において一つの識別情報発信機では部屋全体をカバーできない場合でも、一つの部屋に複数の識別情報発信機を設置して本システムを柔軟に適用することができる。
【００６４】
また、受信機４０は、患者ごとに予め登録された任意のメッセージを表示部４０６に表示させることができる。これにより、それぞれの患者の状態に応じて、患者が部屋の外に出た場合の注意事項等も含めてメッセージを表示させることができ、患者一人一人の状態に合わせた適切な対応が可能となる。
【００６５】
（変形例）
なお、上記の実施形態においては、受信機４０の表示部４０６にメッセージを表示することによってユーザーに通知を行う例を説明したが、これに限定されない。受信機４０以外の装置において通知が行われてもよい。具体的な例について、以下に説明する。
【００６６】
図９は、看護師が携帯する端末において通知が行われる様子を示す図である。
【００６７】
図９に示す例では、Ｂさんが所在部屋の外に出ているため、図８の例と同様に、受信機４０の表示部４０６にメッセージが表示される。さらに、受信機４０は、ネットワークインターフェース４０４を介して、ネットワーク上のサーバーや交換局等にアクセスし、看護師等の病院のスタッフが携帯するモバイル端末５０に対して表示部４０６に表示したものと同様のメッセージを送信する。モバイル端末５０は、携帯電話やＰＨＳ、スマートフォン、タブレットＰＣ等であり、看護師が元々病院内での業務連絡等に使用しているものを流用できる。モバイル端末５０は、受信したメッセージを画面に表示し、あるいは音声により案内し、患者が所在部屋の外に出たことを看護師に通知する。また、看護師が携帯するモバイル端末５０のみならず、受信機４０とは別の場所に設置された他の装置にメッセージが送信され、当該装置により患者が所在部屋の外に出たことが通知されてもよい。
【００６８】
これにより、看護師が受信機４０の近くにいない場合であっても、患者が所在部屋の外に出たことを即座に把握できる。その結果、患者が所在部屋の外に出た場合に、看護師がより確実かつ迅速に対処することが可能となる。
【００６９】
また、上記の実施形態においては、部屋番号と位置ＩＤの関連付けは、一つの部屋の部屋番号と、その部屋の中に設置された識別情報発信機２０の位置ＩＤとを関連付けるものとして説明した。しかし、これに限定されない。一つの部屋の部屋番号と、その部屋以外に設定された識別情報発信機２０の位置ＩＤとが関連付けられてもよい。具体的な例について、以下に説明する。
【００７０】
図１に示すように、識別情報発信機２０が位置ＩＤを発信する射程範囲は、各部屋の領域と完全には一致しない。したがって、ある部屋に設置された識別情報発信機２０により発信された位置ＩＤが、たとえば隣の部屋にまで届いてしまうことも考えられる。部屋の構造等によっては、送信機３０が、隣の部屋に設置された識別情報発信機の位置ＩＤを頻繁に受信することも想定される。具体的には、７０１号室にいるＡさんに装着された送信機３０Ａが、隣の部屋である７０２号室に設置された識別情報発信機２０ｂが発信する位置ＩＤ「２００」を受信する場合である。そのような場合には、受信機４０において、部屋番号「７０１」に対して、位置ＩＤ「１００」に加えて、位置ＩＤ「２００」も関連付けて登録してもよい。これにより、上記の場合においてＡさんが７０１号室にいるにもかかわらず、Ａさんが部屋を出た旨の通知が行われてしまうことを防止できる。この場合、Ａさんが７０２号室にいる場合にも通知が行われないこととなるが、Ａさんが７０１号室から廊下に出た時点では通知が行われ、またＡさんが７０１号室か隣の７０２号室にいることは把握できるため、本発明の目的は問題なく達成される。
【符号の説明】
【００７１】
１０  医療用外出通知システム、
２０  識別情報発信機、
３０  送信機、
４０  受信機、
５０  モバイル端末、
４０１  ＣＰＵ、
４０２  ＲＯＭ、
４０３  ＲＡＭ、
４０４  ネットワークインターフェース、
４０５  受信部、
４０６  表示部、
４０７  操作部、
４０８  ストレージ、
４０９  バス。
【図１】
2014238638.tif 000003
【図２】
2014238638.tif 000004
【図３】
2014238638.tif 000005
【図４】
2014238638.tif 000006
【図５】
2014238638.tif 000007
【図６】
2014238638.tif 000008
【図７】
2014238638.tif 000009
【図８】
2014238638.tif 000010
【図９】
2014238638.tif 000011